(57)【特許請求の範囲】
【請求項１】
浴槽の上端部から外側へ水平に延びるフラットタイプの浴槽フランジの先端縁よりも内方に入り込んだフランジ下面部分に、
前壁及び後壁を有し下方に開口した断面コ字形の係止片が取り付けられると共に、
浴槽エプロンの上端側に、前記前壁の内面に弾接するばね部材が固定部材を介して取り付けられ、
この固定部材には前記後壁の内面に当接する当接片が設けられており、
前記当接片を前記後壁の内面に当接させると共に前記ばね部材を前記前壁の内面に弾接させることで浴槽フランジに対する浴槽エプロンの動きが規制されている
ことを特徴とする浴槽エプロンの固定構造。
【請求項２】
前記浴槽エプロンの内側面に、前記固定部材を取り付けるための台座部を設けたことを特徴とする請求項1記載の浴槽エプロンの固定構造。
【発明の詳細な説明】
【技術分野】
【０００１】
本発明は、浴槽エプロンの固定構造に関し、詳しくは浴槽の外側面を外観良く覆い隠すため浴槽エプロンの固定構造に関するものである。
【背景技術】
【０００２】
従来から図２に示すように、浴槽１の上端縁から突出する浴槽フランジ２の先端縁から垂下状に垂下片８が一体形成されており、この垂下片８の内方に差込み部９を設け、浴槽エプロン４の上端部を下方から差込み部９内に差し込んだ状態で、浴槽エプロン４の下端部を洗い場床６側に設けたエプロン設置部５に固定するようにした構造において、浴槽エプロン４の上端に設けた立上り延出片１０にゴム１１を取り付け、このゴム１１を垂下片８に弾接させることで、浴槽フランジ２に対して浴槽エプロン４の上端を動かないように固定する構造が知られている（例えば、特許文献１〜３参照）。
【０００３】
ところが上記特許文献１〜３に示された従来例では、浴槽エプロン４の上端を図２の矢印で示す斜め下方Ａから差込み部９に差し込む際に、ゴム１１と垂下片８との間に無理な引っ掛かりや摩擦が生じて差込みがしにくくなり、一方、浴槽エプロン４を取り外す際もゴム１１に無理な力が生じて外れにくくなるという問題がある。そのうえゴム１１が変形したり、或いはずれ動いたり、損傷したりすることで、ゴム１１の弾性力が垂下片８に充分に作用しなくなって、浴槽エプロンにガタつきが発生しやすいという問題もある。さらに従来では、垂下片８を持たないフラットタイプの浴槽フランジには適用できないという問題もある。
【特許文献１】特開２００２−６５４９１号公報
【特許文献２】特開２００２−３３６１５１号公報
【特許文献３】特開２００１−２２４５１９号公報
【発明の開示】
【発明が解決しようとする課題】
【０００４】
本発明は上記の従来の問題点に鑑みて発明したものであって、フラットタイプの浴槽フランジに対して浴槽エプロンをガタつきが生じない状態で容易に固定することができる浴槽エプロンの固定構造を提供することを課題とするものである。
【課題を解決するための手段】
【０００５】
前記課題を解決するために本発明は、浴槽１の上端部から外側へ水平に延びるフラットタイプの浴槽フランジ２の先端縁２ａよりも内方Ｃに入り込んだフランジ下面部分２ｂに、前壁３ｂ及び後壁３ｃを有し下方に開口した断面コ字形の係止片３が取り付けられると共に、浴槽エプロン４の上端４ａ側に、前記前壁３ｂの内面に弾接するばね部材５が固定部材６を介して取り付けられ、この固定部材６には前記後壁３ｃの内面に当接する当接片１６が設けられており、前記当接片１６を前記後壁３ｃの内面に当接させると共に前記ばね部材５を前記前壁３ｂの内面に弾接させることで浴槽フランジ２に対する浴槽エプロン４の動きが規制されていることを特徴としている。
【０００６】
このような構成とすることで、浴槽エプロン４のばね部材５をフランジ下面部分２ｂの係止片３に弾接させるだけで、フラットタイプの浴槽フランジ２に対する浴槽エプロン４の取付けが容易に行なわれると共に、係止片３とばね部材５との間で無理な引っ掛かりや摩擦が生じることがないため、ばね部材５が変形したり、或いはずれ動いたり、損傷したりするといった問題もなくなり、従って、係止片３とばね部材５とを利用して浴槽エプロン４をガタつきが生じない状態で容易に固定できるようになる。
【０００７】
また前記浴槽エプロン４の内側面４ｂに、前記固定部材６を取り付けるための台座部７を設けるのが好ましく、この場合、仮りに浴槽エプロン４の厚みが薄くてネジ等を直接使用できない場合であっても、台座部７を利用してばね部材５をネジ等で強固に取付け可能となる。
【発明の効果】
【０００８】
本発明は、浴槽エプロンの上端側に設けたばね部材を浴槽フランジに取り付けた係止片に弾接させることにより、浴槽エプロンをガタつきが生じない状態でフラットタイプの浴槽フランジに対して容易に固定できるものである。
【発明を実施するための最良の形態】
【０００９】
以下、本発明を添付図面に示す実施形態に基いて説明する。
【００１０】
図１は本発明の浴槽エプロン４の固定構造の一例を示している。洗い場側となる浴槽１の上端部から外側へ水平に延びる浴槽フランジ２が突設されている。本例の浴槽フランジ２は、従来に見られるような垂下片８（図２）は設けられておらず、上下方向の厚みＤが例えば１５ｍｍ程度のフラットタイプをしている。
【００１１】
上記フラットタイプの浴槽フランジ２の先端縁２ａよりも内方Ｃに入り込んだフランジ下面部分２ｂには、下方に開口した断面コ字形の係止片３が取り付けられている。係止片３は浴槽フランジ２の全周に亘って設けられる長尺状に形成されており、上横片３ａの前後両端から前壁３ｂと後壁３ｃとが垂下している。
【００１２】
一方、浴槽エプロン４は、浴槽１の洗い場側の外側面をカバーするためのものであり、浴槽エプロン４の上端４ａは内方Ｃに略Ｌ字状に屈曲形成されており、浴槽フランジ２の先端縁２ａの下面と若干の隙間をあけて配置される。浴槽エプロン４の内側面４ｂに設けた台座部７には、固定部材６を介してばね部材５が取り付けられている。
【００１３】
本例のばね部材５は逆Ｖ字状に曲成されており、その基端部が固定部材６の起立片１３に対してねじ１４で固定され、先端部に上記係止片３の前壁３ｂ内面を外方Ｂに向けて押圧する押圧面５ａが設けられている。この押圧面５ａは上端から下端にいく程外方Ｂに向けて傾斜しており、係止片３の前壁３ｂ下端から前壁３ｂ内面に沿ってスムーズに移動できるようにしてある。さらに、ばね部材５の内面には金属板ばね１２が取り付けられている。金属板ばね１２の基端はばね部材５の基端部に固着され、金属板ばね１２の先端はばね部材５の先端内面に突設した突部１５に面して配置され、ばね部材５の屈曲動作に追随して金属板ばね１２が屈曲することで、ばね部材５の弾力性向上と強度向上とが図られている。
【００１４】
上記ばね部材５を固定する固定部材６は略Ｗ字形に屈曲形成されており、ばね部材５を固定する起立片１３と、起立片１３の上端から後方（ばね部材５とは反対方向）に突出して係止片３の後壁３ｃ内面に当接する当接片１６と、起立片１３の下端から下方に突出して浴槽エプロン４の内側面４ｂに設けた台座部７に対してねじ１７で固定されるエプロン固定片１８とを備えている。
【００１５】
次に、浴槽エプロン４を浴槽フランジ２に固定するにあたっては、浴槽エプロン４の上端４ａを斜め下方からフランジ下面部分２ｂに接近させて、ばね部材５を係止片３に下方から差し込むようにする。このとき、ばね部材５の押圧面５ａが係止片３の前壁３ｂ下端に当たりながら、係止片３の内部に入り込む。またこのとき、ばね部材５と反対側に設けた固定部材６の当接片１６が係止片３の後壁３ｃ内面に当接することにより、ばね部材５の押圧面５ａが係止片３の前壁３ｂ内面に弾接した状態で保持されるようになり、これにより、係止片３とばね部材５とによって浴槽エプロン４の前後の動きが規制された状態となる。その後、浴槽エプロン４の下端部を洗い場床側に設けたエプロン設置部５（図２）に設置して固定することにより、浴槽エプロン４の取り付けが完了する。
【００１６】
しかして、上記構成の浴槽エプロン４側のばね部材５を浴槽フランジ２側の係止片３に差し込むだけで、浴槽フランジ２に対して浴槽エプロン４を容易に且つ確実に固定できると共に、係止片３とばね部材５との間で無理な引っ掛かりや摩擦が生じることがないため、ばね部材５が変形したり、或いはずれ動いたり、損傷したりするといった問題もない。従って、係止片３とばね部材５とを利用して浴槽エプロン４をガタつきが生じない状態で取り付け可能となる。なお浴槽エプロン４を取り外す際には、ばね部材５は係止片３から簡単に外れるので、取り外しも容易且つスムーズに行なうことができる。
【００１７】
ところで、浴槽フランジ２の先端縁２ａから下方に向かって垂下片８（図２）を設けた浴槽フランジ２においては、上下方向の厚みが３０ｍｍ以上となるが、図１のフラットタイプの浴槽フランジ２では、上下方向の厚みＤが１５ｍｍ以下と薄くなる。このフラットタイプの場合は、従来のような垂下片を利用した浴槽エプロン４の差し込み固定方式を採用できないが、本発明のようにフランジ下面部分２ｂに断面コ字形の係止片３を取り付け、浴槽エプロン４側にばね部材５を取り付けて両者３，５を弾接させる構造とすることで、フラットタイプの浴槽フランジ２に対する浴槽エプロン４の取り付けを良好に行なえるようになる。
【００１８】
さらに本例では、浴槽エプロン４の内側面４ｂに台座部７を設けてばね部材５を取り付けるようにしたので、仮りに浴槽エプロン４の厚みが薄くてネジ等を直接使用できない場合であっても、台座部７を利用してばね部材５をネジ等で強固に取付け可能になる。
【図面の簡単な説明】
【００１９】
【図１】本発明の一実施形態を示し、浴槽エプロンの固定構造を説明する側面断面図である。
【図２】従来例の説明図である。
【符号の説明】
【００２０】
１  浴槽
２  浴槽フランジ
２ａ  先端縁
２ｂ  フランジ下面部分
３  係止片
４  浴槽エプロン
４ａ  上端
４ｂ  内側面
５  ばね部材
７  台座部
Ｃ  内方
Ｄ  浴槽フランジの厚み
【図１】
0005180524.tif 000002
【図２】
0005180524.tif 000003